【手続補正書】
【提出日】平成25年7月30日(2013.7.30)
【手続補正１】
【補正対象書類名】特許請求の範囲
【補正対象項目名】全文
【補正方法】変更
【補正の内容】
【特許請求の範囲】
【請求項１】
少なくとも１つの回転機械（１５）によって駆動される少なくとも１つの発電機（１６）により単相または多相交流が供給されている単相又は多相交流送電網（１７）における負荷側での負荷低減を早期に識別し先行的にコントロールするための方法において、
電流（Ｂ）及び電圧（Ａ）が、少なくとも１つの発電機（１６）と単相又は多相交流送電網（１７）との間で測定されるか、及び／又は、単相又は多相交流送電網（１７）において測定され、
前記測定された電流（Ｂ）及び電圧（Ａ）から、少なくとも１つの回転機械（１５）への介入制御のための１つ又は複数の信号（Ｏ，Ｏi，Ｐ，Ｐi）を導出して用いるようにしたことを特徴とする方法。
【請求項２】
前記少なくとも１つの回転機械（１５）は、送出された電力のための制御回路（１３）を有し、前記導出された信号（Ｏ，Ｏi，Ｐ，Ｐi）が少なくとも１つの回転機械（１５）の制御回路（１３）に送出され、送電網側で負荷低減が生じた場合には前記少なくとも１つの回転機械（１５）がその出力を制御し、それによって電力の生成と需要が迅速に再び一致するようにした、請求項１記載の方法。
【請求項３】
測定された電流（Ｂ）と電圧（Ａ）から１つ又は複数の電気量（Ｃ，Ｄ，Ｅ）が導出され、該導出された電気量（Ｃ，Ｄ，Ｅ）から、当該電気量及び／又はさらなる電気量の変化率ないしは時間に関する勾配（Ｆ，Ｇ，Ｈ，Ｉ）が算出され、前記算出された１つ又は複数の変化率（Ｆ，Ｇ，Ｈ，Ｉ）がそれぞれに割当てられた閾値（Ｊ，Ｋ，Ｌ，Ｍ）を上回るか下回ると、前記少なくとも１つの回転機械（１５）への介入制御のための信号（Ｏ，Ｏi，Ｐ，Ｐi）が生成される、請求項１または２記載の方法。
【請求項４】
前記導出された電気量（Ｃ，Ｄ，Ｅ）は、有効電力、有効電流、無効電力または無効電流を含み、算出された変化率ないし時間に関する勾配は、有効電力勾配（Ｇ）、有効電流勾配（Ｈ）、無効電流又は無効電力勾配（Ｉ）、及び回転数勾配（Ｆ）を含んでいる、請求項３記載の方法。
【請求項５】
算出された勾配（Ｆ，Ｇ，Ｈ，Ｉ）及び無効電流又は無効電力（Ｅ）と、所属の閾値との比較によって、相応する閾値信号（Ｊ，Ｋ，Ｌ，Ｍ，Ｎ）の形成が行われ、前記少なくとも１つの回転機械（１５）への介入制御信号（Ｏ，Ｏi，Ｐ，Ｐi）の生成のために、前記閾値信号（Ｊ，Ｋ，Ｌ，Ｍ，Ｎ）が評価ユニット（１１）において相互に論理結合される、請求項４記載の方法。
【請求項６】
前記少なくとも１つの回転機械（１５）は、アクチュエータ（１４；１４ａ−ｅ）を介して出力が制御されるタービン（１５）であり、前記タービン（１５）への介入制御のための信号（Ｏ，Ｏi，Ｐ，Ｐi）が、前記アクチュエータ（１４；１４ａ−ｅ）の接続された制御回路（１３）に転送される、請求項１から５いずれか１項記載の方法。
【請求項７】
前記タービン（１５）は、蒸気タービンであり、アクチュエータ（１４；１４ａ，１４ｂ）が当該蒸気タービン（１５）への蒸気（３７）の供給を制御している、請求項６記載の方法。
【請求項８】
前記タービン（１５）はガスタービンの一部であり、アクチュエータ（１４；１４ｃ，１４ｄ）が当該ガスタービン（１５）への燃料（３８）の供給及び／又は燃焼空気（３９）の供給を制御している、請求項６記載の方法
【請求項９】
前記タービン（１５）への介入制御のための信号（Ｏ，Ｏi）は、制御回路（１３）への転送前に出力段（１２）において増幅される、請求項６記載の方法。
【請求項１０】
負荷低減の識別に必要とされる全ての電気量、並びに少なくとも１つの回転機械（１５）のローターの"期待される"又は"仮想の"回転数勾配（Ｆ）が単相又は多相送電網（１７）における電圧（Ａ）と電流（Ｂ）の単相または多相測定（１８，１９）から得られる、請求項１から６いずれか１項記載の方法。
【請求項１１】
期待される加速度の計算は、現時点の電力と少なくとも１つの回転機械（１５）のローターの慣性モーメントに基づいて行われる、請求項１０記載の方法。
【請求項１２】
それぞれが少なくとも１つの回転機械によって駆動された複数の発電機（１６）が単相又は多相送電網（１７）に接続されており、単相又は多相送電網（１７）における負荷低減に対する応答として、測定された電流（Ｂ）と電圧（Ａ）から導出された信号（Ｏ，Ｏi，Ｐ，Ｐi）を用いた回転機械の電力生成への介入制御が選択的になされる、請求項１から１１いずれか１項記載の方法。
【請求項１３】
請求項１から１２いずれか１項記載の方法を実施するための装置において、
電流変換器（１８）と電圧変換器（１９）が含まれており、
前記電流変換器（１８）と電圧変換器（１９）は、少なくとも１つの発電機と単相又は多相送電網の間か、及び／又は、単相又は多相送電網（１７）の選択された箇所に配設されており、さらに前記電流変換器（１８）と電圧変換器（１９）の出力側が少なくとも１つの負荷低減検出装置（２０）と接続されており、
前記負荷低減検出装置（２０）の出力側は、少なくとも１つの回転機械（１５）と適切に作用するように接続されていることを特徴とする装置。
【請求項１４】
前記少なくとも１つの回転機械（１５）は、アクチュエータ（１４；１４ａ−ｅ）を介して出力が制御されるタービン（１５）であり、少なくとも１つの負荷低減検出装置（２０）の出力側と少なくとも１つの前記タービン（１５）のアクチュエータ（１４；１４ａ−ｅ）との間に制御回路（１３）が配設されている、請求項１３記載の装置。
【請求項１５】
少なくとも１つの負荷低減検出装置（２０）が測定値処理ユニット（１）を有しており、
前記測定値処理ユニット（１）の入力側は、電流変換器（１８）と電圧変換器（１９）によって受入れられた電流（Ｂ）と電圧（Ａ）を受取り、
前記測定値処理ユニット（１）の出力側からは、前記電流（Ｂ）及び電圧（Ａ）から導出された有効電力（Ｃ）及び有効電流（Ｄ）と、無効電流又は無効電力（Ｅ）が出力され、
前記測定値処理ユニット（１）の後方には、複数の計算ユニット（２，３，４，５）が配設されており、
前記計算ユニットは、測定値処理ユニット（１）から出力された値（Ｃ，Ｄ，Ｅ）から回転数、有効電力、有効電流、無効電流又は無効電力の変化率ないし時間に関する勾配（Ｆ，Ｇ，Ｈ，Ｉ）を算出しており、
前記複数の計算ユニットの後方にはそれぞれ１つ又は複数の対応する閾値発信器（６，７，８，９）が配設されており、前記１つ又は複数の閾値発信器は閾値を上回った場合又は閾値を下回った場合に、相応する閾値信号（Ｊ，Ｋ，Ｌ，Ｍ）を送出し、該閾値信号（Ｊ，Ｋ，Ｌ，Ｍ）は後置接続されている評価ユニット（１１）に供給され、
前記評価ユニット（１１）は、閾値信号（Ｊ，Ｋ，Ｌ，Ｍ）に応じてその出力側から１つ又は複数の負荷低減信号（Ｏ，Ｏi）を少なくとも１つの回転機械ないしタービン（１５）の制御のために送出している、請求項１３または１４記載の装置。
【請求項１６】
前記測定値処理ユニット（１）から送出された無効電流値又は無効電力値（Ｅ）が１つ又は複数の閾値発信器（１０）に直接供給され、前記閾値発信器の出力側は評価ユニット（１１）に接続されている、請求項１５記載の装置。
【請求項１７】
前記評価ユニット（１１）の後方に、負荷低減信号（Ｏ，Ｏi）を増幅するための１つ又は複数の出力段（１２）が接続されている、請求項１５又は１６記載の装置。